(57)【要約】【課題】  光検出器への迷光や塵埃の侵入防止できるようにしたホログラム装置を提供する。【解決手段】  光源から与えられる参照光Ｌ３と、ホログラム記録媒体１から出力される再生光Ｌ４との境界部分に、ピンホールフィルタ４４を備えた遮光部材４３を配置する。再生光Ｌ４は、ピンホールフィルタ４４に形成されたピンホール４４ａを通過して光検出部材４２を有する遮光スペース２６内に入り込むが、ピンホール４４ａはビーム径が最も絞られたビームウエストＢＷの位置に設けられているため、光検出部材４２が所定の再生光Ｌ４以外の光を検出することを防止できる。またピンホールフィルタ４４は、透明基板４４Ａを母材として形成されているため、前記遮光スペース２６内への塵埃の侵入を防止できる。【選択図】図３Ａ
2008020563.tif 000002
【特許請求の範囲】
【請求項１】
ホログラム記録媒体を再生する参照光を入射させる光源と、前記参照光を受光した前記ホログラム記録媒体から出力される再生光を検知する光検知部材と、前記ホログラム記録媒体と前記光検知部材との間に設けられ、所定の再生光のみを通過させて前記光検知部材に導くピンホールフィルタと、を備え、前記参照光の光路と前記再生光の光路との境界部分に遮光部材が設けられており、この遮光部材に前記ピンホールフィルタが設けられていることを特徴とするホログラム装置。
【請求項２】
前記ピンホールフィルタは、透明基板と、前記透明基板の少なくとも一方の面にコーティングされた光不透過膜と、前記透明基板の一部をコーティングせずに前記透明基板を部分的に露出させることで形成されるピンホールと、により形成される請求項１記載のホログラム装置。
【請求項３】
前記ピンホールが、再生光のビーム径が最も絞られたビームウエスト位置に設けられている請求項１または２記載のホログラム装置。
【請求項４】
前記光不透過膜が、金属膜で形成されている請求項２または３記載のホログラム装置。
【請求項５】
搬送用のキャリッジが設けられ、前記ピンホールフィルタを備えた遮光部材はこのキャリッジに設置されており、前記キャリッジを構成する複数の壁面の一部が、前記遮光部材とともに前記参照光が前記光検知部材により検出されるのを防止する遮光スペースを形成する請求項１ないし４のいずれか記載のホログラム装置。
【請求項６】
前記遮光部材と壁面の一方または双方に、反射防止膜がコーティングされている請求項５記載のホログラム装置。
【発明の詳細な説明】
【技術分野】
【０００１】
本発明は、ホログラム記録媒体に記録されているデータの読み出しを行うホログラム装置に係わり、特に光検出器への迷光や塵埃の侵入防止できるようにしたホログラム装置に関する。
【背景技術】
【０００２】
特許文献１にはホログラム再生ヘッドに関する発明が開示されている。このホログラム再生ヘッドは、ホログラム１１に対してレーザ光を出力する光源３と、前記ホログラム１１からの再生光を受光する受光部４とが箱状のヘッド本体１内収納されている。また透明板５が、前記光源３および前記受光部４に対向するように配置されている。前記透明板５には、前記光源３から出射された参照光をホログラム１１に向ける光路変更ホログラム５ａと、前記ホログラム１１からの再生光のうち、必要な再生光のみを前記受光部４に向けて通過させるピンホールフィルタ６ａが設けられている。
【特許文献１】特開２００６−９９９２５号公報
【発明の開示】
【発明が解決しようとする課題】
【０００３】
しかし、上記特許文献１に記載されたホログラム再生ヘッドでは、光源３と受光部４とが同じ箱状のヘッド本体１内に収納されている。このため、光源３から出射された光や、その他の余計な光が、ヘッド本体１内で反射し、迷光となって前記受光部４において受光されることがある。このような、迷光は受光部にとってノイズ成分として作用するため、ホログラム再生ヘッドが読み出しエラーを発生させやすくなる。【０００４】
本発明は上記従来の課題を解決するためのものであり、余計な迷光の侵入を防止して光検出部材がノイズ成分を拾い難くすることにより、読み出し精度を高めたホログラム装置を提供することを目的としている。
【課題を解決するための手段】
【０００５】
本発明は、ホログラム記録媒体を再生する参照光を入射させる光源と、前記参照光を受光した前記ホログラム記録媒体から出力される再生光を検知する光検知部材と、前記ホログラム記録媒体と前記光検知部材との間に設けられ、所定の再生光のみを通過させて前記光検知部材に導くピンホールフィルタと、を備え、前記参照光の光路と前記再生光の光路との境界部分に遮光部材が設けられており、この遮光部材に前記ピンホールフィルタが設けられていることを特徴とするものである。【０００６】
本発明では、遮光部材が前記参照光の光路と前記再生光の光路とを分離する。このため、前記光検出部材が、前記参照光を検知することを防止できる。よって、ホログラム装置における読み出しエラーの発生頻度を低減させることができる。【０００７】
例えば、前記ピンホールフィルタは、透明基板と、前記透明基板の少なくとも一方の面にコーティングされた光不透過膜と、前記透明基板の一部をコーティングせずに前記透明基板を部分的に露出させることで形成されるピンホールと、により形成される。【０００８】
上記手段では、ピンホールとしての機能と、塵埃の侵入防止という機能を備えることができる。【０００９】
上記において、前記ピンホールが、再生光のビーム径が最も絞られたビームウエスト位置に設けられているものが好ましい。【００１０】
上記手段では、前記ピンホールフィルタが、目的とする再生光以外の余計な再生光の侵入をも遮断するため、読み出し精度を高めることができる。
また前記光不透過膜が、金属膜で形成されているものが好ましい。【００１１】
上記手段では、スパッタや蒸着などの手段を用いて簡単に金属膜を形成することができる。【００１２】
また搬送用のキャリッジが設けられ、前記ピンホールフィルタを備えた遮光部材はこのキャリッジに設置されており、前記キャリッジを構成する複数の壁面の一部が、前記遮光部材とともに前記参照光が前記光検知部材により検出されるのを防止する遮光スペースを形成するものが好ましい。【００１３】
上記手段では、遮光スペースを外部から隔離することができるため、確実に再生光以外の余計な光（参照光など）の侵入を防止することができる。よって、読み出しエラーの発生頻度を低減することが可能なホログラム装置とすることができる。【００１４】
さらには、前記遮光部材と壁面の一方または双方に、反射防止膜がコーティングされているものが好ましい。【００１５】
上記手段では、遮光スペース内に侵入した光の、前記遮光スペースでの反射を防止することができる。このため、さらにホログラム装置の読み出しエラーの発生頻度を低減することが可能となる。
【発明の効果】
【００１６】
本発明では、光検出部材が目的とする再生光以外の余計光を取得することを防止することができる。また光検出部材が設けられた遮光スペース内への塵埃の侵入を防止できる。よって、ホログラム装置では、読み出しエラーの発生頻度を低く抑えることができる。
【発明を実施するための最良の形態】
【００１７】
図１は本発明の実施の形態としてホログラム装置のキャリッジを示す斜視図、図２は図１に示すキャリッジの分解斜視図、図３Ａは遮光スペースを示す図１の３−３線における断面図、図３Ｂはピンホールフィルタの拡大断面図、図４はホログラム装置を構成する主要部材の位置関係を示す斜視図である。なお、図４ではキャリッジを省略して示している。【００１８】
図１に示すように、ホログラム装置（再生ヘッド）１０は、キャリッジ（第１のキャリッジ）２０上に構成されている。前記キャリッジ２０は後述する搬送機構により、ＸＹ平面上をＸ方向およびＹ方向に自在に移動することが可能な状態で支持されている。図３Ａに示すように、ホログラム記録媒体１は前記キャリッジ２０のＺ２方向の下部位置に配置されている。前記キャリッジ２０は、前記ホログラム記録媒体１に対して平行な状態を維持しながらＸＹ平面上を水平に移動する。【００１９】
図１および図２に示すように、前記キャリッジ２０は、例えばアルミニウムなどをダイキャスト成形することなどにより形成されている。前記キャリッジ２０上には、光源３１、コリメートレンズ３２、ミラーアクチュエータ３３、光検出部材４２を備えた基台４１および遮光部材４３が設けられている。【００２０】
前記光源３１は、例えば垂直共振器面発光レーザ（以下、「ＶＣＳＥＬ（Vertical Cavity Surface Emitting Laser）という」などからなるレーザ発光手段で構成されている。前記光源３１とコリメートレンズ３２とは補助基台３５に搭載され、一体的にユニット化されている。【００２１】
図１および図４などに示すように、前記ミラーアクチュエータ３３は、前記光源３１から出射されるレーザ光の光路上に設けられている。前記ミラーアクチュエータ３３は、反射ミラー３３Ａ、揺動支持部３３Ｂおよび駆動部３３Ｃを有している。前記反射ミラー３３Ａは揺動支持部３３Ｂに対して揺動自在に支持されており、前記駆動部３３Ｃで発生した駆動力を受けて前記反射ミラー３３Ａの傾き角度を自在に変えることが可能とされている。【００２２】
図２に示すように、前記キャリッジ２０の中央部にはＺ方向に貫通する開口２１が形成されている。前記開口２１の図示Ｙ２側には支持部２２が設けられている。前記ユニット化された前記光源３１とコリメートレンズ３２とは、前記支持部２２上に固定されている。【００２３】
前記キャリッジ２０のＸ２側には遮光スペース２６が設けられている。図３Ａに示すように、前記遮光スペース２６は、天面を形成する基台４１と、前記基台４１から断面略Ｌ字形状に延びる遮光部材４３とで囲まれる空間部分により形成されている。【００２４】
前記基台４１は、前記水平面（ＸＹ平面）に対して傾斜した姿勢で取り付けられている。このため、基台４１の下面側に固定された光検知部材４２も前記水平面（ＸＹ平面）に対して傾斜した姿勢で取り付けられている。なお、前記光検知部材４２の水平面に対する傾斜角度は、ホログラム情報をホログラム記録媒体１に記録する際に使用される参照光の、前記光記録媒体１への入射角度に対応して定められている。前記光検知部材４２としては、例えばＣＣＤやＣＭＯＳイメージセンサなどを用いることが可能である。【００２５】
遮光部材４３は、基部４３ａが基台４１に固定されており、その先端には前記光検知部材４２の面に対向して配置された対向部４３ｂが設けられている。前記対向部４３ｂの中央には貫通孔４３ｃが穿設されており、前記ピンホールフィルタ４４はこの貫通孔４３ｃに対向するようにして固定されている。なお、前記対向部４３ｂの先端は、キャリッジ２０の底面２７に設けられた溝状の係止部２７ａに係止されている。【００２６】
図３Ｂに示すように、前記ピンホールフィルタ４４は、ガラスまたは樹脂などからなる薄い透明基板４４Ａを母材として形成されている。前記透明基板４４Ａの表面は、例えばクロムなどからなる金属膜４４Ｂが形成されている。前記金属膜４４Ｂは、例えばスパッタや蒸着などの成膜手段を用いて所定の膜厚寸法で形成されており、膜厚方向への光の透過を遮る光不透過膜として機能している。【００２７】
また遮光スペース２６では、前記透明基板４４Ａが前記遮光部材４３に形成されている貫通孔４３ｃを塞いでいる。このため、塵埃が前記遮光スペース２６内に侵入するのを防止することが可能である。【００２８】
前記金属膜４４Ｂのほぼ中央には、所定の直径からなるピンホール４４ａが形成されており、前記ピンホール４４ａからは前記透明基板４４Ａの表面が露出されている。このようなピンホール４４ａは、例えば前記金属膜４４Ｂを成膜する前に、前記透明基板４４Ａの表面を所定のマスクで覆い、前記ピンホール４４ａとなる部分に金属膜４４Ｂが成膜されるのを防ぐ処理を施した後に、成膜することにより形成することができる。なお、前記金属膜４４Ｂは、透明基板４４Ａの上下面のうち少なくとも一方の面に形成されていればよい。【００２９】
前記ホログラム記録媒体１から出力される再生光は、このピンホール４４ａを通じて前記遮光スペース２６の内側に設けられた前記光検出部材４２で検出される。【００３０】
図３Ａに示すように、前記遮光部材４３は、ホログラム記録媒体１へ入射する参照光Ｌ３の光路と、ホログラム記録媒体１から出射する再生光Ｌ４との光路とを分ける境界部分に設けられている。このため、参照光Ｌ３が前記遮光スペース２６内に入り込み難くなっており、前記光検出部４３において検出されるノイズ成分を減らすことが可能とされている。【００３１】
また前記遮光スペース２６はその周囲の全域が、壁面で構成されるものであってもよい。この点、図３Ａに示す実施の態様では、遮光スペース２６が、基台４１、遮光部材４３、前記開口２１の図示Ｘ２側の縁部において図示Ｙ方向において対峙する一対の内壁２３，２４と、図示Ｘ２側に設けられ且つ前記キャリッジ２０の一部を形成する外壁２５とで形成されている。すなわち、前記遮光スペース２６は、その六面がキャリッジを構成する各壁面と、前記遮光部材４３および基台４１によって囲まれる構成である。【００３２】
そして、前記光は前記ピンホール４４ａを通過しない限り、前記遮光スペース２６内へ侵入することが不可能な状態にある。すなわち、前記遮光スペース２６とその外部とは前記遮光部材４３によって仕切られている。そして、前記遮光スペース２６内に設けられた光検知部材４２は、前記ピンホール４４ａを介して入射する光以外の光を検出しないように外部から隔離されている。【００３３】
さらに前記遮光スペース２６を形成する六面の内面は、すなわち、内壁２３、２４、外壁２５、基台４１の下面および前記遮光部材４３の対向部４３ｂの内側は、反射防止膜をコーティングした構成が好ましい。このような構成のものにあっては、前記ピンホール４４ａから入射した光が、前記遮光スペース２６の内部で反射することを無くすこと、または少なくすることができる。よって、前記光検出部材４２で検出されるノイズ成分の量を大幅に少なくすることができる。すなわち、ホログラム装置は、再生光Ｌ４に含まれるホログラム情報を確実に読み出すことが可能である。【００３４】
前記反射防止膜は、例えばシリカ粒子を塗料等のバインダー等に分散させ、それをコーティングすることにより形成することができる。あるいはサンドブラストやエッチング等により、各部材の内面を荒らすことによって形成したものであってもよい。さらには、内面を黒色に塗装したものであってもよい。【００３５】
次に、上記ホログラム装置１０の動作について説明する。
図４に示すように、光源３１から発せられたレーザ光Ｌ１は、前記コリメートレンズ３２で平行光Ｌ２に拡大され、前記ミラーアクチュエータ３３に出力される。前記ミラーアクチュエータ３３では前記駆動部３３Ｃが駆動されて、前記反射ミラー３３Ａの傾き角度が調整される。図４では、前記反射ミラー３３Ａは斜め下方向に向けられており、前記反射ミラー３３Ａで反射された平行光Ｌ２はホログラム記録媒体１に対して参照光Ｌ３として入射する。【００３６】
前記ホログラム記録媒体１は反射型であり、上層側の記録層１Ｂの下面には反射面１Ｃが設けられている。また、例えば前記ホログラム記録媒体１が所定のカートリッジ内に収納されるタイプのものである場合には、前記反射面１Ｃは前記ホログラム記録媒体１が収納されるカートリッジ内の底面に設けられる構成とするものであってもよい。【００３７】
図３Ａに示すように、前記ホログラム記録媒体１の記録層１Ｂ内には多数のデータ情報を示すホログラム１ａ、１ｂ、１ｃ、・・・が、干渉縞（例えば、市松模様状の２次元的なドットパターン）として記録角度を変えた状態で多重に記録されている。このため、前記再生光Ｌ４には前記干渉縞によるホログラム情報が含まれている。【００３８】
前記参照光Ｌ３は、前記ホログラム記録媒体１の表面１Ａから記録層１Ｂに侵入し、前記反射面１Ｃで反射させられる。前記反射した参照光Ｌ３が、前記記録層１Ｂを通過するときに前記ホログラム１ａ、１ｂ、１ｃ、・・・と干渉し、このときの生成される再生光Ｌ４が前記表面１Ａからホログラム記録媒体１の外部に出力される。【００３９】
ここで、再生光Ｌ４は位相共役による収束光となっており、ビーム径が最も絞られた部分がビームウエストＢＷである（図３Ｂ参照）。前記ピンホールフィルタ４４は、そのピンホール４４ａが前記再生光Ｌ４のビームウエストＢＷと一致する位置に設けられている。【００４０】
例えば、参照光Ｌ３がホログラム記録媒体１の内部に記録されているホログラム１ａに入射すると、実線で示すような再生光Ｌ４１を発生させる。同時に、ホログラム１ａと一部重複する部分であるホログラム１ｂからも点線で示すような再生光Ｌ４２が発生する。前記ホログラム１ａからの再生光Ｌ４１のビームウエストＢＷがピンホール４４ａと一致して通過するときには、ホログラム１ｂからの再生光Ｌ４２のビームウエストＢＷはピンホール４４ａと一致しないため通過することができない。同様に、前記ホログラム１ｂからの再生光Ｌ４２のビームウエストＢＷがピンホール４４ａに一致して通過するときには、前記ホログラム１ａからの再生光Ｌ４１のビームウエストＢＷはピンホール４４ａに一致しないため通過することができない。すなわち、ピンホールフィルタ４４は、ビームウエストＢＷの位置が一致するいずれか一の再生光Ｌ４のみを通過させ、それ以外の再生光Ｌ４を遮断する。このため、このホログラム装置では、一度に複数の再生光Ｌ４が発生しても、それらの中から一つの再生光Ｌ４だけをピンホールフィルタ４４で選択的に分離して通過させ、通過した再生光Ｌ４のホログラム情報だけを前記光検出部材４２において検出することが可能である。【００４１】
以下には、上記のようなホログラム装置を備えたキャリッジ２０をＸＹ方向に搬送するための搬送機構について説明する。【００４２】
図５は本発明の実施の形態としてホログラム装置の全体構成として、キャリッジの搬送機構の概略を示す斜視図である。【００４３】
図１および図５に示すように、前記キャリッジ２０の図示Ｙ２側の縁部には、図示Ｘ方向に向かって貫通する貫通孔２８が形成されている。前記貫通孔２８の内周面には雌ねじ２８ａが螺刻されている。この貫通孔２８には螺旋状の送り溝５１ａが形成された第１のスクリュー軸５１が挿通される。前記送り溝５１ａは前記雌ねじ２８ａに噛み合わされている。【００４４】
図示Ｙ１側には、前記第１のスクリュー軸５１と一定の距離を隔てて平行に設けられたガイド軸５２が架設されている。前記キャリッジ２０の図示Ｙ１側の縁部は、前記ガイド軸５２に対し図示Ｘ方向に摺動自在に支持されている。前記第１のスクリュー軸５１と前記ガイド軸５２の両側には側枠部５４，５５が設けられており、前記第１のスクリュー軸５１と前記ガイド軸５２の両端は前記側枠部５４，５５間に設けられている。【００４５】
前記第１のスクリュー軸５１、前記ガイド軸５２、側枠部５４，５５は、第２のキャリッジ５０を構成している。なお、前記第１のスクリュー軸５１は前記側枠部５４，５５に対し回転自在に支持されている。【００４６】
前記第１のスクリュー軸５１の一方の先端には減速歯車５６が固定されており、外部に設けられた駆動モータＭ１の回転軸Ｍ１ａに固定されたギヤ５７に噛み合わされている。このため、駆動モータＭ１に電力を供給し、第１のスクリュー軸５１を回転させると、前記キャリッジ２０はその回転方向に応じてＸ方向に往復移動させられる。【００４７】
一方（Ｘ１側）の側枠部５４には、一対の支持片５４ａ，５４ａが形成されており、支持片５４ａ，５４ａにはＹ方向に貫通する貫通孔５４ｂ，５４ｂが形成されている。前記貫通孔５４ｂ，５４ｂの内面にはねじ溝が形成されている。【００４８】
前記第２のキャリッジ５０の外側には、支持枠部６０が設けられている。この実施の形態の支持枠部６０は平面的にはコの字形状をしている。前記支持枠部６０のＸ１側の縁部には、Ｙ方向に延びる第２のスクリュー軸６１が回転自在に支持されている。前記第２のスクリュー軸６１は、前記貫通孔５４ｂ，５４ｂに挿通されており、第２のスクリュー軸６１の表面に形成されている送り溝６１ａが前記貫通孔５４ｂ，５４ｂの内面に形成されたねじ溝に噛み合わされている。【００４９】
他方、前記支持枠部６０のＸ２側の縁部には、前記第２のスクリュー軸６１に対し平行に設けられたガイド軸６２が架設されている。前記第２のキャリッジ５０の側枠部５５は、前記ガイド軸６２に対し図示Ｙ方向に摺動自在に支持されている。【００５０】
前記第２のスクリュー軸６１の一方の先端には減速歯車６６が固定されており、外部に設けられた駆動モータＭ２の回転軸Ｍ２ａに固定されたギヤ６７に噛み合わされている。このため、駆動モータＭ２に電力を供給し、第２のスクリュー軸６１を回転させると、前記第２のキャリッジ５０はその回転方向に応じてＹ方向に往復移動させられる。【００５１】
このように、本願発明では、前記第２のキャリッジ５０をＹ方向に移動させ、キャリッジ（第１のキャリッジ）２０をＸ方向に移動させることが可能とされており、結果として前記キャリッジ２０をホログラム記録媒体１に対向させた状態でＸＹ方向に水平に移動させることが可能とされている。【００５２】
上記実施の形態では、光検出部材４２を有する遮光スペース部材２６の全周囲が、キャリッジ２０を構成する複数の壁面を利用して囲まれる構成として示したが、本発明はこれに限られるものではなく、前記光検出部材４２がピンホールを備えた箱体の内部に配置される構成であってもよい。【００５３】
なお、上記実施の形態では、キャリッジ２０がＸ方向およびＹ方向の２方向に移動させられるものとして示したが、本発明はこれに限られるものではなく、キャリッジはＸ方向またはＹ方向の一方向のみに往復移動させられる構成であってもよい。
【図面の簡単な説明】
【００５４】
【図１】本発明の実施の形態としてホログラム装置のキャリッジを示す斜視図、
【図２】図１に示すキャリッジの分解斜視図、
【図３Ａ】遮光スペースを示す図１の３−３線における断面図、
【図３Ｂ】ピンホールフィルタの拡大断面図、
【図４】ホログラム装置を構成する主要部材の位置関係を示す斜視図
【図５】本発明の実施の形態としてホログラム装置の全体構成として、キャリッジの搬送機構の概略を示す斜視図、
【符号の説明】
【００５５】
１  光記録媒体
１０  ホログラム装置（再生ヘッド）
２０  キャリッジ（第１のキャリッジ）
２１  開口
２２  支持部
２３，２４  内壁
２５  外壁
２６  遮光スペース
３１  光源
３２  コリメートレンズ
３３  ミラーアクチュエータ
４１  基台
４２  光検出部材
４３  遮光部材
４３ａ  基部
４３ｂ  対向部
４４  ピンホールフィルタ
４４Ａ  透明基板
４４Ｂ  金属膜
４４ａ  ピンホール
５０  第２のキャリッジ
５１  第１のスクリュー軸
５２  ガイド軸
６０  支持枠部
６１  第２のスクリュー軸
６２  ガイド軸
Ｌ３  参照光
Ｌ４  再生光
ＢＷ  ビームウエスト
【図１】
2008020563.tif 000003
【図２】
2008020563.tif 000004
【図３Ａ】
2008020563.tif 000005
【図３Ｂ】
2008020563.tif 000006
【図４】
2008020563.tif 000007
【図５】
2008020563.tif 000008
【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
光記録媒体に対向するキャリッジに、光記録媒体を再生する参照光を発する光源と、前記参照光を受光した前記光記録媒体から出力される再生光を検知する光検知部材とが搭載されているホログラム装置において、
前記キャリッジには、前記光検知部材を囲む遮光スペースが設けられ、前記遮光スペースは、前記キャリッジの一部である複数の壁面と、前記光記録媒体と前記光検知部材との間に設けられた遮光部材とで囲まれており、
前記遮光部材に、前記参照光の光路と前記再生光の光路との境界部分に位置し前記再生光のみを通過させて前記光検知部材に導くピンホールフィルタが設けられていることを特徴とするホログラム装置。
【請求項２】
前記ピンホールフィルタは、透明基板と、前記透明基板の少なくとも一方の面にコーティングされた光不透過膜と、前記透明基板の一部をコーティングせずに前記透明基板を部分的に露出させるピンホールとを有する請求項１記載のホログラム装置。
【請求項３】
前記光不透過膜が、金属膜で形成されている請求項２記載のホログラム装置。
【請求項４】
前記ピンホールが、再生光のビーム径が最も絞られたビームウエスト位置に設けられている請求項１ないし３のいずれかに記載のホログラム装置。
【請求項５】
前記遮光部材と壁面の一方または双方に、反射防止膜がコーティングされている請求項１ないし４のいずれかに記載のホログラム装置。
【手続補正２】
【補正対象書類名】明細書
【補正対象項目名】０００５
【補正方法】変更
【補正の内容】
【０００５】
本発明は、光記録媒体に対向するキャリッジに、光記録媒体を再生する参照光を発する光源と、前記参照光を受光した前記光記録媒体から出力される再生光を検知する光検知部材とが搭載されているホログラム装置において、
前記キャリッジには、前記光検知部材を囲む遮光スペースが設けられ、前記遮光スペースは、前記キャリッジの一部である複数の壁面と、前記光記録媒体と前記光検知部材との間に設けられた遮光部材とで囲まれており、
前記遮光部材に、前記参照光の光路と前記再生光の光路との境界部分に位置し前記再生光のみを通過させて前記光検知部材に導くピンホールフィルタが設けられていることを特徴とするものである。
【手続補正３】
【補正対象書類名】明細書
【補正対象項目名】００１２
【補正方法】削除
【補正の内容】
【国際調査報告】
2008020563.tif 000009
2008020563.tif 000010
2008020563.tif 000011